(57)【要約】【課題】貯湯タンクへの貯湯を所望の時間で行い、エネルギーロスの防止。【解決手段】ヒートポンプ装置を加熱運転させかつ加熱式循環手段を運転させる貯湯運転を制御する運転制御手段とが設けられ、加熱式循環手段は、貯湯タンク１の底部から取り出した湯水を貯湯用熱交換器３３を通過させて加熱し、その加熱された湯水を貯湯タンク１の底部に戻す温度上昇緩慢運転と、貯湯タンク１の底部から取り出した湯水を貯湯用熱交換器３３を通過させて加熱し、その加熱された湯水を貯湯タンク１の上部に戻す温度上昇急速運転とに切換自在に構成され、運転制御手段は、温度上昇急速運転させることによって空気熱交換器に霜が付くような条件下では、加熱式循環手段を温度上昇緩慢運転させ、温度上昇急速運転させても空気熱交換器に霜が付かないような条件下では、加熱式循環手段を温度上昇急速運転させるように、加熱式循環手段の運転を制御する。【選択図】        図１
2004205138.tif 000002
【特許請求の範囲】
【請求項１】
貯湯用熱交換器を凝縮器として機能させかつ空気熱交換器を蒸発器として機能させる加熱運転を実行するヒートポンプ装置と、
貯湯タンクから取り出した湯水を前記貯湯用熱交換器を通過させて加熱し、その加熱された湯水を前記貯湯タンクに戻す加熱式循環手段と、
前記ヒートポンプ装置を加熱運転させかつ前記加熱式循環手段を運転させる貯湯運転を制御する運転制御手段とが設けられている貯湯式の給湯熱源装置であって、
前記加熱式循環手段は、
前記貯湯タンクの底部から取り出した湯水を前記貯湯用熱交換器を通過させて加熱し、その加熱された湯水を前記貯湯タンクの底部に戻す温度上昇緩慢運転と、
前記貯湯タンクの底部から取り出した湯水を前記貯湯用熱交換器を通過させて加熱し、その加熱された湯水を前記貯湯タンクの上部に戻す温度上昇急速運転とに切換自在に構成され、
前記運転制御手段は、前記温度上昇急速運転させることによって前記空気熱交換器に霜が付くような条件下では、前記温度上昇緩慢運転させ、前記温度上昇急速運転させても前記空気熱交換器に霜が付かないような条件下では、前記温度上昇急速運転させるように、前記加熱式循環手段の運転を制御するように構成されている貯湯式の給湯熱源装置。
【請求項２】
前記運転制御手段は、前記温度上昇急速運転させても前記空気熱交換器に霜が付かないような条件下であっても、前記温度上昇急速運転によって設定時刻に前記貯湯タンク内に目標貯湯量貯湯するための目標貯湯タイミングよりも以前には、前記温度上昇緩慢運転させ、前記目標貯湯タイミングの以後には、前記温度上昇急速運転させるように、前記加熱式循環手段の運転を制御するように構成されている請求項１に記載の貯湯式の給湯熱源装置。
【請求項３】
前記運転制御手段は、前記貯湯用熱交換器を通過させる湯水の温度または前記貯湯タンク内の湯水の温度が霜付限界温度以下のときには、前記加熱式循環手段を前記温度上昇急速運転させることによって前記空気熱交換器に霜が付くような条件下であると判別し、前記貯湯タンク内の湯水の温度が霜付限界温度よりも高いときには、前記加熱式循環手段を前記温度上昇急速運転させても前記空気熱交換器に霜が付かないような条件下であると判別するように構成されている請求項１または２に記載の貯湯式の給湯熱源装置。
【請求項４】
前記加熱式循環手段は、前記温度上昇急速運転において、前記貯湯用熱交換器を通過した湯水の温度が貯湯目標温度になるように前記貯湯用熱交換器を通過させる湯水の流量を調整するように構成されている請求項１〜３のいずれか１項に記載の貯湯式の給湯熱源装置。
【請求項５】
前記加熱式循環手段は、前記温度上昇緩慢運転において、前記貯湯用熱交換器を通過させる湯水の流量を温度上昇緩慢運転用の流量に調整するように構成されている請求項１〜４のいずれか１項に記載の貯湯式の給湯熱源装置。
【発明の詳細な説明】
【０００１】
【発明の属する技術分野】
本発明は、貯湯用熱交換器を凝縮器として機能させかつ空気熱交換器を蒸発器として機能させる加熱運転を実行するヒートポンプ装置と、貯湯タンクから取り出した湯水を前記貯湯用熱交換器を通過させて加熱し、その加熱された湯水を前記貯湯タンクに戻す加熱式循環手段と、前記ヒートポンプ装置を加熱運転させかつ前記加熱式循環手段を運転させる貯湯運転を制御する運転制御手段とが設けられている貯湯式の給湯熱源装置に関する。
【０００２】
【従来の技術】
上記のような貯湯式の給湯熱源装置は、例えば、一般家庭用に用いられ、運転制御手段が、貯湯運転を行うことにより、ヒートポンプ装置の貯湯用熱交換器にて加熱された湯水を貯湯タンク内に貯湯して、その貯湯された湯水を給湯栓や浴槽などに給湯するものである。
【０００３】
従来の貯湯式の給湯熱源装置では、加熱式循環手段が、貯湯タンクの底部から取り出した湯水を貯湯用熱交換器を通過させて加熱し、その加熱された湯水を貯湯タンクの底部に戻す温度上昇緩慢運転と、貯湯タンクの底部から取り出した湯水を貯湯用熱交換器を通過させて加熱し、その加熱された湯水を貯湯タンクの上部に戻す温度上昇急速運転とに切換自在に構成されている。
そして、運転制御手段が、温度上昇急速運転させたときに、貯湯用熱交換器を通過した湯水の温度を所望の温度（例えば、貯湯設定温度としての６０℃）まで上昇できないような条件下であると、温度上昇緩慢運転させ、温度上昇急速運転させても、貯湯用熱交換器を通過した湯水の温度を所望の温度（例えば、貯湯設定温度としての６０℃）まで上昇できるような条件下であると、温度上昇急速運転させるように、加熱式循環手段の運転を制御するように構成されている（例えば、特許文献１参照）。
【０００４】
【特許文献１】
特開２００１−２９６０５７号公報
【０００５】
【発明が解決しようとする課題】
しかしながら、上記従来の貯湯式の給湯熱源装置では、運転制御手段が、単純に、温度上昇急速運転させても、貯湯用熱交換器を通過した湯水の温度を所望の温度（例えば、貯湯設定温度としての６０℃）まで上昇できるような条件下であると、加熱式循環手段を温度上昇急速運転させているので、貯湯運転中に、空気熱交換器に霜が付いてしまう虞がある。
【０００６】
説明を加えると、貯湯タンク内に存在する湯水は、温度の高い湯水が上部側に存在し、温度の低い湯水が底部側に存在することになるので、温度上昇急速運転させると、温度の低い湯水を取り出して貯湯用熱交換器を通過させて加熱し、その加熱された湯水を温度の高い湯水が存在する上部に戻すことになる。
そして、温度上昇急速運転させると、貯湯用熱交換器を通過させる湯水の温度は、貯湯タンクの底部に存在する温度の低い湯水の全量が取り出されるまで低い状態が続くことになる。
したがって、冬季などのように、外気温度や貯湯タンク内の湯水の温度が低いような条件下では、温度上昇急速運転させると、温度の低い湯水とヒートポンプ装置の冷媒とが貯湯用熱交換器で熱交換される状態が続くことになるので、貯湯用熱交換器を通過したヒートポンプ装置の冷媒の温度が低くなり、その結果、空気熱交換器に霜が付いてしまう。
【０００７】
そして、貯湯運転中に、空気熱交換器に霜が付いてしまうと、運転制御手段が、一旦貯湯運転を中断して、空気熱交換器に付着した霜を除去する除霜運転を行った後、貯湯運転を再開させることになるので、下記のような不具合を生じることになる。
【０００８】
すなわち、貯湯タンク内に貯湯するときに、貯湯運転を中断すると、貯湯タンク内に所望の貯湯量を貯湯するために必要となる時間が長くなり、貯湯タンクへの貯湯を所望の時間で行うことができない虞がある。
その結果、予定した時刻に貯湯タンクへの貯湯が完了していないなどの不具合を生じることになる。
また、貯湯タンク内に貯湯するときに、除霜運転を行うことになると、除霜運転を行うためのエネルギーが消費されるとともに、貯湯運転を中断して除霜運転を行っている間に、貯湯運転によって貯湯タンク内に貯湯された湯水が放熱されることになる。
その結果、エネルギーロスを招くことになる。
【０００９】
ちなみに、除霜運転としては、例えば、運転制御手段が、貯湯用熱交換器を蒸発器として機能させかつ空気熱交換器を凝縮器として機能させるようにヒートポンプ装置を運転させている。
【００１０】
本発明は、かかる点に着目してなされたものであり、その目的は、貯湯タンクへの貯湯を所望の時間で行い、かつ、エネルギーロスを防止することが可能となる貯湯式の給湯熱源装置を提供する点にある。
【００１１】
【課題を解決するための手段】
この目的を達成するために、請求項１に記載の発明によれば、貯湯用熱交換器を凝縮器として機能させかつ空気熱交換器を蒸発器として機能させる加熱運転を実行するヒートポンプ装置と、貯湯タンクから取り出した湯水を前記貯湯用熱交換器を通過させて加熱し、その加熱された湯水を前記貯湯タンクに戻す加熱式循環手段と、前記ヒートポンプ装置を加熱運転させかつ前記加熱式循環手段を運転させる貯湯運転を制御する運転制御手段とが設けられている貯湯式の給湯熱源装置において、
前記加熱式循環手段は、
前記貯湯タンクの底部から取り出した湯水を前記貯湯用熱交換器を通過させて加熱し、その加熱された湯水を前記貯湯タンクの底部に戻す温度上昇緩慢運転と、
前記貯湯タンクの底部から取り出した湯水を前記貯湯用熱交換器を通過させて加熱し、その加熱された湯水を前記貯湯タンクの上部に戻す温度上昇急速運転とに切換自在に構成され、
前記運転制御手段は、前記温度上昇急速運転させることによって前記空気熱交換器に霜が付くような条件下では、前記温度上昇緩慢運転させ、前記温度上昇急速運転させても前記空気熱交換器に霜が付かないような条件下では、前記温度上昇急速運転させるように、前記加熱式循環手段の運転を制御するように構成されている。
【００１２】
すなわち、運転制御手段は、貯湯運転を行う際に、加熱式循環手段を温度上昇急速運転させることによって空気熱交換器に霜が付くような条件下では、加熱式循環手段を温度上昇緩慢運転させ、加熱式循環手段を温度上昇急速運転させても空気熱交換器に霜が付かないような条件下では、加熱式循環手段を温度上昇急速運転させることにより、空気熱交換器に霜が付くことを防止しながら、貯湯タンク内への貯湯を行うことができることになる。
【００１３】
説明を加えると、温度上昇緩慢運転では、貯湯タンクの底部から取り出した湯水を貯湯用熱交換器を通過させて加熱し、その加熱された湯水を貯湯タンクの底部に戻すので、貯湯タンクの底部に存在する温度の低い湯水は、戻された湯水により加熱され、その加熱された湯水が取り出されて貯湯用熱交換器を通過することになる。
また、貯湯タンクの底部に戻される湯水は、その底部に存在する湯水の温度よりも高く、貯湯タンクの上部側に上昇していくことになるので、その過程で熱伝達されて貯湯タンク内の湯水が全体的に加熱されることになって、貯湯タンク内の湯水が全体的に徐々に上昇することになる。
【００１４】
したがって、運転制御手段が加熱式循環手段を温度上昇緩慢運転させることにより、貯湯用熱交換器を通過させる湯水の温度が徐々に上昇していくことになるので、外気温度や貯湯タンク内の湯水の温度が低いような条件下などのように、加熱式循環手段を温度上昇急速運転させることによって空気熱交換器に霜が付くような条件下であっても、温度の低い湯水とヒートポンプ装置の冷媒とが貯湯用熱交換器で熱交換される状態が続くことを防止できることになる。
その結果、貯湯用熱交換器を通過したヒートポンプ装置の冷媒の温度が低くなるのを抑制できて、空気熱交換器に霜が付くことを防止できることになる。
【００１５】
また、温度上昇急速運転させても空気熱交換器に霜が付かないような条件下では、そのような条件下であるので、温度上昇急速運転させても、空気熱交換器に霜が付くことを防止できることになる。
【００１６】
以上の如く、運転制御手段は、空気熱交換器に霜が付くことを防止しながら、貯湯タンクへの貯湯を行うことができることになるので、貯湯運転中に、貯湯運転を中断して、空気熱交換器に付着した霜を除去する除霜運転を行うような事態に陥ることを回避できることになる。
したがって、貯湯タンク内に貯湯するときに、除霜運転を行うために、貯湯運転が中断されることを防止できるので、所望の時間にて貯湯タンク内に所望の貯湯量を貯湯することができることになる。
また、貯湯タンク内に貯湯するときに、除霜運転が行われることを防止できるので、除霜運転を行うためにエネルギーが消費されることも防止でき、貯湯運転を中断して除霜運転を行っている間に、貯湯運転によって貯湯タンク内に貯湯された湯水が放熱されることも防止できることになる。
【００１７】
以上のことをまとめると、請求項１に記載の発明によれば、運転制御手段は、除霜運転を行うために、貯湯運転を中断させることなく、貯湯タンク内に貯湯することができることとなって、貯湯タンクへの貯湯を所望の時間で行い、かつ、エネルギーロスを防止することが可能となる貯湯式の給湯熱源装置を提供できるに至った。
【００１８】
請求項２に記載の発明によれば、前記運転制御手段は、前記温度上昇急速運転させても前記空気熱交換器に霜が付かないような条件下であっても、前記温度上昇急速運転によって設定時刻に前記貯湯タンク内に目標貯湯量貯湯するための目標貯湯タイミングよりも以前には、前記温度上昇緩慢運転させ、前記目標貯湯タイミングの以後には、前記温度上昇急速運転させるように、前記加熱式循環手段の運転を制御するように構成されている。
【００１９】
すなわち、加熱式循環手段の運転について、温度上昇緩慢運転させる方が、温度上昇急速運転させるよりも、装置全体として投入エネルギーに対して得られる熱出力が大きくなるので、投入エネルギーに対する熱出力を示すＣＯＰは、温度上昇急速運転させるよりも、温度上昇緩慢運転させる方が高くなり、温度上昇緩慢運転の運転時間をできるだけ長くすることにより、ＣＯＰ上優れた貯湯運転を行うことができることになる。
ちなみに、温度上昇緩慢運転では、貯湯用熱交換器を通過させる湯水の温度が徐々に上昇しているのに対して、温度上昇急速運転では、貯湯用熱交換器を通過させる湯水の温度が低い状態が続くので、その湯水を加熱するための投入エネルギーが増大するが、その投入エネルギーの増大量分ほど熱出力が得られないので、温度上昇緩慢運転させる方が、温度上昇急速運転させるよりも、装置全体として投入エネルギーに対して得られる熱出力が大きくなる。
【００２０】
そして、運転制御手段は、単純に、加熱式循環手段を温度上昇急速運転させても空気熱交換器に霜が付かないような条件下であることによって、加熱式循環手段を温度上昇急速運転させるのではなく、加熱式循環手段を温度上昇急速運転させても空気熱交換器に霜が付かないような条件下であることに加えて、目標貯湯タイミングの以後であるという条件を満たすことによって、加熱式循環手段を温度上昇急速運転させることができることになる。
したがって、運転制御手段は、温度上昇緩慢運転の運転時間を極力長くなるようにしながら、設定時刻に貯湯タンク内に目標貯湯量貯湯することができることになって、ＣＯＰ上優れた貯湯運転を行って、効率の向上を図りながら、設定時刻に貯湯タンク内に目標貯湯量貯湯することができることになる。
【００２１】
請求項３に記載の発明によれば、前記運転制御手段は、前記貯湯用熱交換器を通過させる湯水の温度または前記貯湯タンク内の湯水の温度が霜付限界温度以下のときには、前記加熱式循環手段を前記温度上昇急速運転させることによって前記空気熱交換器に霜が付くような条件下であると判別し、前記貯湯タンク内の湯水の温度が霜付限界温度よりも高いときには、前記加熱式循環手段を前記温度上昇急速運転させても前記空気熱交換器に霜が付かないような条件下であると判別するように構成されている。
【００２２】
すなわち、運転制御手段は、貯湯用熱交換器を通過させる湯水の温度および貯湯タンク内の湯水の温度と霜付限界温度とを比較するだけで、温度上昇急速運転させることによって空気熱交換器に霜が付くような条件下であるか、または、温度上昇急速運転させても空気熱交換器に霜が付かないような条件下であるかを判別することができることになる。
ちなみに、霜付限界温度は、貯湯用熱交換器を通過させる湯水の温度が霜付限界温度以下となると、温度上昇急速運転させることによって空気熱交換器に霜が付いてしまう状態になるとして、ヒートポンプ装置の能力などに基づいて予め定められる温度である。
【００２３】
したがって、貯湯タンク内の湯水の温度については、予め備えられているセンサを利用して、貯湯用熱交換器を通過させる湯水の温度を検出する構成を追加するだけで、加熱式循環手段を温度上昇急速運転させることによって空気熱交換器に霜が付くような条件下であるかどうかを判別することができることとなって、加熱式循環手段を温度上昇急速運転させることによって空気熱交換器に霜が付くような条件下であるかどうかを判別するための構成の簡素化を図ることができることになる。
【００２４】
しかも、運転制御手段は、貯湯タンク内の湯水の温度が霜付限界温度よりも高いときには、加熱式循環手段を温度上昇急速運転させても空気熱交換器に霜が付かないような条件下であると判別するので、貯湯タンク内に存在する湯水の温度分布にばらつきがあり、貯湯用熱交換器を通過させる湯水の温度が変化するときでも、貯湯タンク内の湯水の温度と霜付限界温度とを比較することにより、貯湯用熱交換器を通過させる湯水の温度が霜付限界温度よりも高い状態が継続されるか否かを的確に判別することができることになる。
したがって、加熱式循環手段を温度上昇急速運転させても空気熱交換器に霜が付かないような条件下であることを的確に判別することができることになる。
【００２５】
請求項４に記載の発明によれば、前記加熱式循環手段は、前記温度上昇急速運転において、前記貯湯用熱交換器を通過した湯水の温度が貯湯目標温度になるように前記貯湯用熱交換器を通過させる湯水の流量を調整するように構成されている。
【００２６】
すなわち、運転制御手段は、加熱式循環手段を温度上昇急速運転させることにより、貯湯タンクの底部から取り出した湯水を貯湯目標温度に加熱し、その貯湯目標温度の湯水を貯湯タンクの上部に戻すことができることになるので、貯湯目標温度の湯水を貯湯タンクの上部から貯湯していくことができることになる。
したがって、貯湯タンクの上部に温度の高い湯水が存在し、貯湯タンクの底部に温度の低い湯水が存在する状態、すなわち温度成層を形成する状態で貯湯タンクに貯湯していくことができることとなって、貯湯タンク内に貯湯目標温度の湯水を所望の量だけ貯湯するように使用することもできて、使用者の使い勝手もよくなる。
【００２７】
請求項５に記載の発明によれば、前記加熱式循環手段は、前記温度上昇緩慢運転において、前記貯湯用熱交換器を通過させる湯水の流量を温度上昇緩慢運転用の流量に調整するように構成されている。
【００２８】
すなわち、温度上昇緩慢運転用の流量として少量の流量を設定することにより、運転制御手段は、加熱式循環手段を温度上昇緩慢運転させることによって、貯湯用熱交換器を通過させる湯水の流量を少量の流量に調整させることができるので、貯湯用熱交換器において放熱対象となる湯水の流量を少量とすることにより、貯湯用熱交換器におけるヒートポンプ装置の冷媒の放熱量を抑えることができることになる。
したがって、貯湯用熱交換器を通過したヒートポンプ装置の冷媒の温度低下を的確に抑制することができることとなって、貯湯運転中に、空気熱交換器に霜が付くことを的確に防止できることになる。
【００２９】
【発明の実施の形態】
本発明にかかる貯湯式の給湯熱源装置をエンジンヒートポンプ式冷暖房給湯システムに適応した例を図面に基づいて説明する。
このエンジンヒートポンプ式冷暖房給湯システムは、図１および図２に示すように、貯湯タンク１内に温度成層を形成しながら貯湯したり、貯湯タンク１内に貯湯された湯水を給湯したり、貯湯タンク１内の湯水を加熱して外部放熱部２にて放熱する貯湯ユニットＡと、空調対象空間の空調運転と貯湯タンク１内の湯水を加熱するための加熱運転としての貯湯運転を実行可能なヒートポンプ装置としてのエンジンヒートポンプ式冷暖房装置Ｂとから構成されている。
【００３０】
前記貯湯ユニットＡは、この貯湯ユニットＡの運転を制御する貯湯ユニット制御部Ｃ、貯湯タンク１、貯湯タンク１内の湯水を循環するための循環路３、循環路３を通流する湯水を加熱する加熱部４、循環路３を通流する湯水と熱交換して放熱する外部放熱部２などから構成され、循環ポンプＰ１を作動させて貯湯タンク１内の湯水を循環路３にて循環しながら、加熱部４にて加熱したり、外部放熱部２にて放熱するようにしている。
【００３１】
前記貯湯タンク１内には、その貯湯量が最低確保量以上であるかを、その湯温を検出することにより検出する最上部サーミスタＳ１、その貯湯量が「少」以上であるかを、その湯温を検出することにより検出する上部サーミスタＳ２、その貯湯量が「中」以上であるかを、その湯温を検出することにより検出する中部サーミスタＳ３、その貯湯量が「満」以上であるかを、その湯温を検出することにより検出する底部サーミスタＳ４が設けられている。
【００３２】
前記貯湯タンク１には、その底部から貯湯タンク１に水道水圧を用いて給水する給水路５が接続され、その上部から風呂場や台所などに給湯するための給湯路６が接続され、風呂場や台所などで使用された量だけの水を給水路５から貯湯タンク１に給水するように構成されている。
前記給湯路６には、給水路５から分岐された混合用給水路７が接続され、その接続箇所に給湯路６からの湯水と混合用給水路７からの水との混合比を調整自在なミキシングバルブ８が設けられている。
前記給水路５における混合用給水路７の分岐箇所よりも上流側には、給水温度を検出する給水サーミスタ９が設けられ、給水路５および混合用給水路７の夫々には、逆止弁１０が設けられている。
ちなみに、給湯路６には、オーバーフロー路１１が接続され、そのオーバーフロー路１１にエアー抜き弁１２が設けられている。
【００３３】
また、給湯路６におけるミキシングバルブ８よりも上流側には、貯湯タンク１の上部から給湯路６に給湯された湯水の温度を検出する貯湯出口サーミスタ１３が設けられ、給湯路６におけるミキシングバルブ８よりも下流側には、給湯路６の湯水の流量を調整する給湯用水比例バルブ１５、ミキシングバルブ８にて混合された湯水の温度を検出するミキシングサーミスタ１４が設けられている。
【００３４】
前記ミキシングサーミスタ１４よりも下流側の給湯路６が、台所や洗面所などの図外の給湯栓に給湯する一般給湯路１６と、図外の浴槽に湯水を供給するための湯張り路１７とに分岐され、湯張り路１７が浴槽からの風呂戻り路１８に接続され、風呂戻り路１８および風呂往き路１９の両路を通して浴槽に湯水を供給するようにしている。
前記一般給湯路１６には、一般給湯路１６を通流する湯水の流量を検出する給湯流量センサ２０が設けられ、湯張り路１７には、湯張り路１７を通流する湯水の流量を検出する湯張り流量センサ２１、湯張り電磁弁２２、バキュームブレーカ２３、湯張り逆止弁２４が上流側から順に設けられている。
【００３５】
給湯操作手段Ｇが、貯湯出口サーミスタ１３、給水サーミスタ９、ミキシングバルブ８、ミキシングサーミスタ１４、給湯用水比例バルブ１５、給湯流量センサ２０、および、湯張り電磁弁２２などにより構成されている。
そして、一般給湯路１６に給湯したり、浴槽に湯張りするときには、貯湯出口サーミスタ１３、給水サーミスタ９、および、ミキシングサーミスタ１４の検出情報に基づいて、ミキシングバルブ８の開度を調整することにより、所望の温度の湯水を供給するようにしている。
【００３６】
前記循環路３と貯湯タンク１とが、循環路３を通流する湯水を貯湯タンク１内に戻す、または、貯湯タンク１内の湯水を循環路３に取り出すために、貯湯タンク１の上部１箇所と底部２箇所の合計３箇所で連通接続されている。
具体的に説明すると、貯湯タンク１の上部には、循環路３と貯湯タンク１とを接続する上部接続路２５が給湯路６の上流側を介して連通接続され、貯湯タンク１の底部には、循環路３を通流する湯水を給水路５の下流側を介して貯湯タンク１内の底部に戻す戻し路２６と、貯湯タンク１内の底部の湯水を循環路３に取り出す取り出し路２７とが連通接続されている。
【００３７】
そして、上部接続路２５には、上部開閉弁２８が設けられ、戻し路２６には、戻し開閉弁２９が設けられ、取り出し路２７には、貯湯タンク１の底部から取り出した湯水の温度を検出する取り出しサーミスタ３０が設けられている。
【００３８】
前記加熱部４は、エンジンヒートポンプ式冷暖房装置Ｂによる冷媒を供給して湯水を加熱するヒートポンプ式加熱部３３と、エンジンヒートポンプ式冷暖房装置Ｂのエンジン排熱を回収した冷却水を供給して湯水を加熱するエンジン排熱利用式加熱部３４と、バーナの燃焼により湯水を加熱する補助加熱部３５とから構成されている。
そして、循環路３の湯水の循環方向において上流側から、ヒートポンプ式加熱部３３、エンジン排熱利用式加熱部３４、補助加熱部３５の順に設けられている。
【００３９】
前記補助加熱部３５は、図示はしないが、ガス燃焼式のバーナおよびこのバーナに燃焼用空気を供給するファンなどが設けられ、バーナの燃焼により循環路３を通流する湯水を加熱し、ファンの回転速度およびバーナへの燃料ガス供給量を調整して、補助加熱部３５にて加熱後の湯水の温度を調整するように構成されている。
【００４０】
前記外部放熱部２は、循環路３を通流する湯水と暖房用の熱媒としての温水とを熱交換する暖房用放熱部４２と、循環路３を通流する湯水と浴槽内の湯水とを熱交換して追焚きする風呂用放熱部４３とから構成されている。
そして、循環路３が、暖房用放熱部４２を備えた暖房用循環路３ａと、風呂用放熱部４３を備えた風呂用循環路３ｂとに分岐され、暖房用放熱部４２と風呂用放熱部４３とが並列に接続されている。
【００４１】
また、暖房用循環路３ａには、暖房用放熱部４２よりも湯水の循環方向の下流側に暖房用開閉弁４４が設けられ、風呂用循環路３ｂには、風呂用放熱部４３よりも湯水の循環方向の下流側に風呂用開閉弁４５が設けられている。
そして、暖房用循環路３ａの暖房用開閉弁４４よりも湯水循環方向の下流側と風呂用循環路３ｂの風呂用開閉弁４５よりも下流側とがひとつの流路に合流され、その合流された流路に放熱戻りサーミスタ６０が設けられている。
【００４２】
前記暖房用放熱部４２では、暖房ポンプＰ２を作動させることにより、暖房戻り路４６および暖房往き路４７を通して循環する熱媒と循環路３を通流する湯水とを対流させて熱交換させるように構成されている。
そして、暖房戻り路４６には、熱媒の循環方向の上流側から順に、暖房戻り路４６の熱媒の温度を検出する暖房戻りサーミスタ４８、補給水タンク４９、暖房ポンプＰ２が設けられ、暖房往き路４７には、暖房往き路４７の熱媒の温度を検出する暖房往きサーミスタ５０が設けられている。
暖房操作手段Ｊが、暖房戻りサーミスタ４８、暖房往きサーミスタ５０、および、暖房ポンプＰ２などにより構成されている。
【００４３】
前記補給水タンク４９には、水位の上限を検出する上限センサ５１と下限を検出する下限センサ５２とが設けられ、給水路５から分岐されたタンク給水路５３が接続され、そのタンク給水路５３には、補給水電磁弁５４が設けられている。また、暖房戻り路４６と暖房往き路４７とを接続する暖房バイパス路５５が設けられている。
【００４４】
前記風呂用放熱部４３では、風呂ポンプＰ３を作動させることにより、風呂戻り路１８および風呂往き路１９を通して循環する浴槽内の湯水と循環路３を通流する湯水とを対流させて熱交換させるように構成されている。
前記風呂戻り路１８には、浴槽内の湯水の循環方向の上流側から順に、浴槽内の湯水の水位を検出する水位センサ５６、風呂戻り路１８の湯水の温度を検出する風呂戻りサーミスタ５７、二方弁５８、風呂ポンプＰ３、風呂水流スイッチ５９が設けられている。
風呂操作手段Ｈが、水位センサ５６、風呂戻りサーミスタ５７、二方弁５８、風呂水流スイッチ５９、および、風呂ポンプＰ３などにより構成されている。
【００４５】
前記循環路３には、取り出し路２７との接続箇所から湯水循環方向に、循環ポンプＰ１、ヒートポンプ式加熱部用入口サーミスタ６１、ヒートポンプ式加熱部用開閉弁６２、ヒートポンプ式加熱部３３、エンジン排熱利用式加熱部３４、排熱利用式加熱部出口サーミスタ６３、循環流量センサ６４、循環流量調整弁６５、補助加熱部３５、貯湯サーミスタ６６が設けられている。
また、循環路３には、ヒートポンプ式加熱部３３をバイパスさせるヒートポンプ式加熱部用バイパス路６７が接続され、そのヒートポンプ式加熱部用バイパス路６７には、バイパス用開閉弁６８が設けられている。
【００４６】
循環調整手段Ｆが、排熱利用式加熱部出口サーミスタ６３、循環流量センサ６４、循環流量調整弁６５、貯湯サーミスタ６６などにより構成され、循環流量調整弁６５の開度を調整して、加熱部４にて加熱された湯水の温度を調整自在に構成されている。
【００４７】
湯水循環手段Ｅが、循環路３、循環ポンプＰ１、および、ヒートポンプ式加熱部用開閉弁６２、バイパス用開閉弁６８、上部開閉弁２８、戻し開閉弁２９などの複数の開閉弁により構成されている。
そして、湯水循環手段Ｅは、図１の太線で示すように、貯湯タンク１の底部から循環路３に取り出した湯水をヒートポンプ式加熱部３３を通過させて加熱し、その加熱された湯水を貯湯タンク１の上部に戻す温度上昇急速運転と、図４の太線で示すように、貯湯タンク１の底部から循環路３に取り出した湯水をヒートポンプ式加熱部３３を通過させて加熱し、その加熱された湯水を貯湯タンク１の底部に戻す温度上昇緩慢運転とに切換自在に構成されている。
【００４８】
ちなみに、温度上昇急速運転および温度上昇緩慢運転においては、図１および図４に示すように、貯湯タンク１の底部から取り出した湯水が補助加熱部３５を通過することになるが、温度上昇急速運転および温度上昇緩慢運転においては、補助加熱部３５が作動しないようにして、補助加熱部３５にて湯水が加熱されることはない。
【００４９】
前記エンジンヒートポンプ式冷暖房装置Ｂは、複数の室内機７１、室外機７２、室内機７１および室外機７２の運転を制御するヒートポンプ運転制御部Ｄとから構成され、複数の空調対象空間（例えば、各部屋）を空調することができるように構成されている。
また、室内機７１と室外機７２と貯湯ユニットＡにおけるヒートポンプ式加熱部３３とは、冷媒配管７３で接続され、エンジンヒートポンプ式冷暖房装置Ｂにおける冷媒をヒートポンプ式加熱部３３に供給できるように構成されている。
【００５０】
前記複数の室内機７１の夫々には、電子膨張弁７４、室内熱交換器７５、その室内熱交換器７５で温調した空気を空調対象空間へ送出する室内空調用送風機７６が備えられ、室内熱交換器７５にて凝縮された冷媒の温度を検出する冷媒サーミスタ８９の検出情報に基づいて、電子膨張弁７４の開度を調整するようにしている。
前記室外機７２には、ガスエンジン７７、圧縮機７８、アキュムレータ７９、四方弁８０、室外熱交換器８１、その室外熱交換器に対し外気を通風する室外空調用送風機８２が備えられ、ガスエンジン７７の排熱を外部に放熱するためのラジエーター８３、および、ラジエーター用送風機８４も備えられている。
ヒートポンプ運転手段Ｋが、電子膨張弁７４、ＨＰ加熱用電子膨張弁７４ａ、室内空調用送風機７６、ガスエンジン７７、回転速度センサ７７ａ、圧縮機７８、四方弁８０、室外空調用送風機８２、低圧検出手段８７、および、高圧検出手段８８などにより構成されている。
【００５１】
また、ガスエンジン７７の冷却用の冷却水をラジエーター８３との間で循環させる冷却水路８５が設けられ、この冷却水路８５にラジエーター用ポンプＰ４が設けられ、ガスエンジン排熱を回収した冷却水を、加熱供給路９０を通してエンジン排熱利用式加熱部３４に供給する加熱状態とラジエーター８３に供給して排熱される排熱状態とに切り換え自在な排熱切換機構８６が設けられている。
冷却水循環手段Ｌが、ラジエーター用ポンプＰ４、排熱切換機構８６、ラジエーター用送風機８４などにより構成されている。
【００５２】
そして、エンジンヒートポンプ式冷暖房装置Ｂは、空調リモコンＲ１からの暖房要求または冷房要求によりヒートポンプ運転制御部Ｄにて運転が制御され、ガスエンジン７７により圧縮機７８を作動させて、四方弁８０の切換え操作により冷房運転と暖房運転とを選択自在に構成され、室内機７１の電子膨張弁７４の開閉制御により、暖房要求または冷房要求のある部屋の空調を行うように構成されている。
また、ヒートポンプ式加熱部３３にて循環路３の湯水を加熱するときには、暖房運転させるとともに、ＨＰ加熱用電子膨張弁７４ａを制御して、ヒートポンプ式加熱部３３に冷媒を供給するように構成されている。
【００５３】
前記冷房運転においては、図２の実線で示すように、冷媒を流動させて、室内熱交換器７５を蒸発器として機能させて、空調対象空間への供給空気を冷却温調し、室外熱交換器８１を凝縮器として機能させて外気に対して放熱するようにしている。
この冷房運転では、低圧側の冷媒の圧力を検出する低圧検出手段８７の検出情報に基づいて、その検出圧力が冷房用の目標圧力になるようにガスエンジン７７の回転速度を検出する回転速度センサ７７ａの検出情報に基づいてガスエンジン７７の回転速度を制御するようにしている。
【００５４】
前記暖房運転においては、図２の点線で示すように、冷媒を流動させて、室内熱交換器７５を凝縮器として機能させて、空調対象空間への供給空気を加熱温調し、室外熱交換器８１を蒸発器として機能させて外気から吸熱するようにしている。
この暖房運転では、高圧側の冷媒の圧力を検出する高圧検出手段８８の検出情報に基づいて、その検出圧力が暖房用の目標圧力になるように回転速度センサ７７ａの検出情報に基づいてガスエンジン７７の回転速度を制御するようにしている。
そして、この暖房運転において、ＨＰ加熱用電子膨張弁７４ａを開弁状態にして、冷媒配管７３を通してヒートポンプ式加熱部３３に高圧冷媒を供給することにより循環路３を通流する湯水を加熱するようにしている。
【００５５】
また、冷房運転および暖房運転において、排熱切換機構８６を加熱状態に切り換えることによって、エンジン排熱利用式加熱部３４に冷却水を供給することにより循環路３を通流する湯水を加熱するようにしている。
【００５６】
前記貯湯ユニット制御部Ｃとヒートポンプ運転制御部Ｄとは、図３に示すように、エンジンヒートポンプ式冷暖房装置Ｂが空調運転中であることや、エンジンヒートポンプ式冷暖房装置Ｂへの駆動要求などの制御信号を送受信可能に構成にされ、貯湯ユニット制御部Ｃとヒートポンプ運転制御部Ｄとにより運転制御手段Ｕが構成されている。
【００５７】
前記ヒートポンプ運転制御部Ｄは、空調対象空間としての各部屋に設置されている空調リモコンＲ１からの暖房要求または冷房要求および貯湯ユニット制御部Ｄからの制御信号に基づいて、ヒートポンプ運転手段Ｋおよび冷却水循環手段Ｌの夫々の運転を制御して、空調対象空間への冷房運転や暖房運転などの空調運転を実行するように構成されている。
前記貯湯ユニット制御部Ｃは、貯湯リモコンＲ２の指令およびヒートポンプ運転制御部Ｄからの制御信号に基づいて、湯水循環手段Ｅ、循環調整手段Ｆ、給湯操作手段Ｇ、風呂操作手段Ｈ、暖房操作手段Ｊ、補助加熱部３５の夫々の運転を制御して、貯湯タンク１内の湯水を加熱する加熱運転としての貯湯運転、外部放熱部２にて放熱する放熱運転などの夫々の運転を実行するように構成されている。
【００５８】
ちなみに、貯湯ユニット制御部Ｃは、貯湯タンク１内の湯水を給湯するときには、貯湯タンク１の貯湯量が最低確保量以上であるときに、貯湯タンク１内の湯水を給湯路６に給湯して、所望の温度になるように給湯操作手段Ｇを制御し、貯湯タンク１の貯湯量が最低確保量未満であるときに、貯湯タンク１の低部から取り出した湯水を補助加熱部３５にて加熱し、その加熱された湯水を上部接続路２５から給湯路６に給湯して、所望の温度になるように給湯操作手段Ｇを制御するようにしている。
【００５９】
以下、各運転について説明を加える。
前記冷房運転について説明すると、ヒートポンプ運転制御部Ｄは、空調リモコンＲ１から冷房要求があると冷房運転を行い、冷房要求がある部屋に相当する電子膨張弁７４を開状態にして、室内熱交換器７５を蒸発器として機能させて、空調対象空間への供給空気を冷却温調し、室外熱交換器８１を凝縮器として機能させて外気に対して放熱させるように、ヒートポンプ運転手段Ｋを制御するようにしている。
そして、ヒートポンプ運転制御部Ｄは、ラジエーター用ポンプＰ４を作動させ、ラジエーター用送風機８４を作動させラジエーター８３にて放熱させ、冷却水路８５を通流する冷却水が加熱用設定温度以上になると、排熱切換機構８６を加熱状態に切り換えて、冷却水をエンジン排熱利用式加熱部３４に供給するように、冷却水循環手段Ｌの運転を制御するようにしている。
【００６０】
前記暖房運転について説明をすると、ヒートポンプ運転制御部Ｄは、空調リモコンＲ１から暖房要求があると暖房運転を行い、暖房要求がある部屋に相当する電子膨張弁７４を開状態にして、室内熱交換器７５を凝縮器として機能させて、空調対象空間への供給空気を加熱温調し、室外熱交換器８１を蒸発器として機能させて外気から吸熱させるように、ヒートポンプ運転手段Ｋを制御するようにしている。
そして、ヒートポンプ運転制御部Ｄは、ラジエーター用ポンプＰ４を作動させ、ラジエーター用送風機８４を作動させラジエーター８３にて放熱させ、冷却水路８５を通流する冷却水が加熱用設定温度以上になると、排熱切換機構８６を加熱状態に切り換えて、冷却水をエンジン排熱利用式加熱部３４に供給するように、冷却水循環手段Ｌの運転を制御するようにしている。
【００６１】
前記貯湯運転について説明すると、貯湯ユニット制御部Ｃは、貯湯リモコンＲ２などにより貯湯要求があるときや、設定時刻に貯湯タンク１内の貯湯量を目標貯湯量にするための貯湯運転開始時刻になるなど、貯湯運転開始タイミングになると、ヒートポンプ運転制御部Ｄに貯湯運転用の制御信号を送信するとともに、加熱式循環手段としての湯水循環手段Ｅおよび循環調整手段Ｆを運転させる貯湯運転を行うようにしている。
【００６２】
以下、貯湯運転における動作について説明を加えるが、エンジンヒートポンプ式冷暖房装置Ｂ側の動作と貯湯ユニットＡ側の動作とがあるので、まず、エンジンヒートポンプ式冷暖房装置Ｂ側の動作について説明する。
前記ヒートポンプ運転制御部Ｄは、貯湯運転用の制御信号を受信すると、エンジンヒートポンプ式冷暖房装置Ｂを加熱運転としての暖房運転を行い、ＨＰ加熱用電子膨張弁７４ａを開弁状態にして、冷媒配管７３を通してヒートポンプ式加熱部３３に高圧冷媒を供給させて、貯湯用熱交換器としてのヒートポンプ式加熱部３３を凝縮器として機能させかつ空気熱交換器としての室外熱交換器８１を蒸発器として機能させるようにしている。
また、ヒートポンプ運転制御部Ｄは、冷却水路８５を通流する冷却水が加熱用設定温度以上になると、排熱切換機構８６を加熱状態に切り換えて、冷却水をエンジン排熱利用式加熱部３４に供給するように、冷却水循環手段Ｌの運転を制御するようにしている。
【００６３】
次に、貯湯ユニットＡ側の動作について説明すると、貯湯ユニット制御部Ｃは、循環ポンプＰ１を作動させた状態で、加熱式循環手段としての湯水循環手段Ｅを温度上昇急速運転させることによって室外熱交換器８１に霜が付くような条件下であるか、または、湯水循環手段Ｅを温度上昇急速運転させても室外熱交換器８１に霜が付かないような条件下であるかを判別する条件下判別処理を実行する。
【００６４】
そして、貯湯ユニット制御部Ｃは、湯水循環手段Ｅを温度上昇急速運転させることによって室外熱交換器８１に霜が付くような条件下では、図４に示すように、温度上昇緩慢運転させ、温度上昇急速運転させても室外熱交換器８１に霜が付かないような条件下では、図１に示すように、温度上昇急速運転させるように、湯水循環手段Ｅの運転を制御するように構成されている。
【００６５】
また、貯湯ユニット制御部Ｃは、湯水循環手段Ｅを温度上昇急速運転させても室外熱交換器８１に霜が付かないような条件下では、単純に、湯水循環手段Ｅを温度上昇急速運転させるのではなく、まず、温度上昇急速運転によって設定時刻に貯湯タンク１内に目標貯湯量貯湯するための目標貯湯タイミングを求める目標貯湯タイミング演算処理を行うようにしている。
そして、貯湯ユニット制御部Ｃは、湯水循環手段Ｅを温度上昇急速運転させても室外熱交換器８１に霜が付かないような条件下であっても、目標貯湯タイミングよりも以前には、温度上昇緩慢運転させ、目標貯湯タイミングの以後には、温度上昇急速運転させるように、湯水循環手段Ｅの運転を制御するように構成されている。
【００６６】
このようにして、湯水循環手段Ｅを温度上昇急速運転させることによって室外熱交換器８１に霜が付くような条件下では、湯水循環手段Ｅを温度上昇緩慢運転させ、温度上昇急速運転させても室外熱交換器８１に霜が付かないような条件下では、湯水循環手段Ｅを温度上昇急速運転させて、室外熱交換器８１に霜が付くことを防止しながら、貯湯タンク１への貯湯を行うようにしている。
しかも、温度上昇急速運転させても室外熱交換器８１に霜が付かないような条件下であっても、単純に、湯水循環手段Ｅを温度上昇急速運転させるのではなく、貯湯運転タイミングの以前には、湯水循環手段Ｅを温度上昇緩慢運転させ、貯湯運転タイミングの以後には、湯水循環手段Ｅを温度上昇急速運転させて、温度上昇緩慢運転の運転時間を極力長くして、投入エネルギーに対する熱出力を示すＣＯＰ上優れた貯湯運転を行って、効率の向上を図りながら、設定時刻に貯湯タンク１内に目標貯湯量貯湯するようにしている。
【００６７】
以下、貯湯ユニットＡ側の動作について具体的に説明を加える。
前記条件下判別処理について説明を加えると、貯湯ユニット制御部Ｃは、最上部サーミスタＳ１、上部サーミスタＳ２、中部サーミスタＳ３、底部サーミスタＳ４の検出情報に基づいて、貯湯タンク１内の湯水の温度が霜付限界温度（例えば、７℃）以下であると、湯水循環手段Ｅを温度上昇急速運転させることによって室外熱交換器８１に霜が付くような条件下であると判別し、貯湯タンク１内の湯水の温度が霜付限界温度よりも高いと、湯水循環手段Ｅを温度上昇急速運転させても室外熱交換器８１に霜が付かないような条件下であると判別するように構成されている。
【００６８】
ちなみに、霜付限界温度は、ヒートポンプ式加熱部３３を通過させる湯水の温度が霜付限界温度以下となると、湯水循環手段Ｅを温度上昇急速運転させることによって室外熱交換器８１に霜が付く状態になるとして、エンジンヒートポンプ式冷暖房装置Ｂなどに基づいて予め定められている。
【００６９】
前記条件下判別処理において、貯湯タンク１内の湯水の温度と霜付限界温度との比較について説明を加えると、最上部サーミスタＳ１、上部サーミスタＳ２、中部サーミスタＳ３、底部サーミスタＳ４のすべての検出温度が霜付限界温度よりも高いときに、貯湯タンク１内の湯水の温度が霜付限界温度よりも高いと判別し、最上部サーミスタＳ１、上部サーミスタＳ２、中部サーミスタＳ３、底部サーミスタＳ４のいずれかの検出温度が霜付限界温度以下であるときに、貯湯タンク１内の湯水の温度が霜付限界温度以下であると判別する。
【００７０】
前記目標貯湯タイミング演算処理について説明すると、貯湯ユニット制御部Ｃは、温度上昇急速運転させたときに、単位時間あたりに貯湯タンク１に貯湯設定温度の湯水を貯湯できる温度上昇急速運転用の単位時間貯湯量を、ヒートポンプ式加熱部３３を通過させる湯水の温度と外気温度との関係から決まるテーブルを記憶している。
そして、貯湯タンク１内の湯水の温度またはヒートポンプ式加熱部用入口サーミスタ６１、および、図外の外気温度センサの検出情報に基づいて、記憶しているテーブルから現在の状況下での温度上昇急速運転用の単位時間貯湯量を選択し、その選択された温度上昇急速運転用の単位時間貯湯量と必要貯湯量とから必要運転時間を求め、設定時刻よりも必要運転時間だけ早いタイミングを目標貯湯タイミングとして求める。
【００７１】
ちなみに、必要貯湯量は、目標貯湯量から現時点での貯湯タンク１内の貯湯量を引いた量であり、目標貯湯量は、貯湯リモコンＲ２により人為的に設定した量や、貯湯タンク１内の湯水を実際に給湯した実給湯量に基づいて、貯湯タンク１内の湯水が給湯に使用されると予測される量である。
また、現時点での貯湯タンク１内の貯湯量は、最上部サーミスタＳ１、上部サーミスタＳ２、中部サーミスタＳ３、底部サーミスタＳ４などの検出情報に基づいて求められる量である。
そして、設定時刻は、貯湯リモコンＲ２により人為的に設定した時刻や、貯湯タンク１内の湯水を実際に給湯した実給湯状況に基づいて、貯湯タンク１内の湯水を給湯に使用すると予測される時刻である。
【００７２】
前記温度上昇急速運転について説明を加えると、加熱式循環手段としての循環調整手段Ｆは、温度上昇急速運転においては、ヒートポンプ式加熱部３３を通過した湯水の温度が貯湯目標温度（例えば、８０℃）になるようにヒートポンプ式加熱部３３を通過させる湯水の流量を調整するように構成されている。
具体的には、貯湯ユニット制御部Ｃは、温度上昇急速運転において、貯湯サーミスタ６６の検出温度が貯湯目標温度になるように、循環流量調整弁６５の開度および循環ポンプＰ１の回転速度を調整するようにしている。
【００７３】
また、温度上昇急速運転について説明を加えると、加熱式循環手段としての循環調整手段Ｆは、温度上昇緩慢運転においては、ヒートポンプ式加熱部３３を通過させる湯水の流量を温度上昇緩慢運転用の流量に調整するように構成されている。
具体的には、温度上昇緩慢運転用の流量として、温度上昇急速運転のときよりも少量となるような流量が設定され、貯湯ユニット制御部Ｃは、温度上昇緩慢運転において、循環流量センサ６４の検出流量が設定された温度上昇緩慢運転用の流量となるように、循環流量調整弁６５の開度および循環ポンプＰ１の回転速度を調整するようにしている。
【００７４】
前記放熱運転について説明を加えると、湯水循環手段Ｅを運転させて、循環路３を通流する湯水を補助加熱部３５にて加熱するとともに、追焚きの要求があると、風呂操作手段Ｈを運転させ、暖房の要求があると、暖房操作手段Ｊを運転させて、風呂用放熱部４３および暖房用放熱部４２において、補助加熱部３５にて加熱した湯水にて浴槽の湯水および暖房端末（例えば、床暖房装置や浴室暖房装置）からの熱媒を加熱することにより、浴槽の湯水の追焚きおよび暖房端末への熱媒の循環供給を行うようにしている。
【００７５】
前記貯湯運転における貯湯ユニット制御部Ｃの制御動作を、図５のフローチャートに基づいて説明する。
まず、循環ポンプＰ１を作動させて、条件下判別処理を実行し、ヒートポンプ式加熱部３３を通過させる湯水の温度Ｔ１と霜付限界温度Ｔ２とを比較して、温度上昇急速運転させることによって室外熱交換器８１に霜が付くような条件下であるか、温度上昇急速運転させても室外熱交換器８１に霜が付かないような条件下であるかを判別する（ステップ１，２）。
そして、貯湯タンク１内の湯水の温度Ｔ１が霜付限界温度Ｔ２以下であると、温度上昇急速運転させることによって室外熱交換器８１に霜が付くような条件下であると判別し、湯水循環手段Ｅを温度上昇緩慢運転させる（ステップ３，４）。
【００７６】
また、貯湯タンク１内の湯水の温度Ｔ１が霜付限界温度Ｔ２よりも高いと、温度上昇急速運転させても室外熱交換器８１に霜が付かないような条件下であると判別し、目標貯湯タイミング演算処理を実行する（ステップ３，５）。
そして、現時点が目標貯湯タイミングの以前であると、湯水循環手段Ｅを温度上昇緩慢運転させ（ステップ６，４）、現時点が目標貯湯タイミングの以後になると、湯水循環手段Ｅを温度上昇急速運転させる（ステップ６，７）。
【００７７】
〔別実施形態〕
（１）上記実施形態では、貯湯ユニット制御部Ｃは、条件下判別処理において、最上部サーミスタＳ１、上部サーミスタＳ２、中部サーミスタＳ３、底部サーミスタＳ４の検出情報に基づいて、貯湯タンク１内の湯水の温度が霜付限界温度以下であると、湯水循環手段Ｅを温度上昇急速運転させることによって室外熱交換器８１に霜が付くような条件下であると判別するように構成しているが、この構成に代えて、貯湯ユニット制御部Ｃは、条件下判別処理において、ヒートポンプ式加熱部用入口サーミスタ６１の検出情報に基づいて、ヒートポンプ式加熱部３３を通過させる湯水の温度が霜付限界温度以下であると、湯水循環手段Ｅを温度上昇急速運転させることによって室外熱交換器８１に霜が付くような条件下であると判別するように構成してもよい。
【００７８】
また、貯湯ユニット制御部Ｃは、貯湯タンク１内の湯水の温度が霜付限界温度よりも高いと、湯水循環手段Ｅを温度上昇急速運転させても室外熱交換器８１に霜が付かないような条件下であると判別する構成についても、ヒートポンプ式加熱部用入口サーミスタ６１の検出情報に基づいて、ヒートポンプ式加熱部３３を通過させる湯水の温度が霜付限界温度よりも高いと、湯水循環手段Ｅを温度上昇急速運転させても室外熱交換器８１に霜が付かないような条件下であると判別する構成に代えて実施することも可能である。
【００７９】
（２）上記実施形態では、貯湯ユニット制御部Ｃが、湯水循環手段Ｅを温度上昇急速運転させても室外熱交換器８１に霜が付かないような条件下であっても、目標貯湯タイミングよりも以前には、湯水循環手段Ｅを温度上昇緩慢運転させ、目標貯湯タイミングの以後には、湯水循環手段Ｅを温度上昇急速運転させるようにしているが、貯湯ユニット制御部Ｃは、湯水循環手段Ｅを温度上昇急速運転させても室外熱交換器８１に霜が付かないような条件下では、常時、湯水循環手段Ｅを温度上昇急速運転させるように構成して実施することも可能である。
【００８０】
（３）上記実施形態では、貯湯ユニット制御部Ｃが、ヒートポンプ式加熱部３３を通過させる湯水の温度と霜付限界温度とを比較することにより、湯水循環手段Ｅを温度上昇急速運転させることによって室外熱交換器８１に霜が付くような条件下であるか、または、湯水循環手段Ｅを温度上昇急速運転させても室外熱交換器８１に霜が付かないような条件下であるかを判別するようにしているが、例えば、ヒートポンプ式加熱部３３を通過させる湯水の温度と霜付限界温度との比較に加えて、外気温度の情報に基づいて、上述の判別を行うように構成して実施することも可能であり、上述の判別を行うための構成については適宜変更が可能である。
【００８１】
（４）上記実施形態では、循環調整手段Ｆが、温度上昇急速運転において、ヒートポンプ式加熱部３３を通過した湯水の温度が貯湯目標温度になるようにヒートポンプ式加熱部３３を通過させる湯水の流量を調整しているが、このような湯水の流量の調整は行わなくてもよい。
【００８２】
（５）上記実施形態では、循環調整手段Ｆが、温度上昇緩慢運転において、ヒートポンプ式加熱部３３を通過させる湯水の流量を温度上昇緩慢運転用の流量に調整しているが、このような湯水の流量の調整は行わなくてもよい。
【００８３】
（６）上記実施形態では、貯湯ユニットＡは、外部放熱部２を設けて、貯湯運転に加えて、放熱運転を実行するようにしているが、外部放熱部２を設けずに、貯湯運転のみを実行するようにして実施することも可能である。
【００８４】
（７）上記実施形態では、加熱部４を、ヒートポンプ式加熱部３３、エンジン排熱利用式加熱部３４、補助加熱部３５とから構成しているが、例えば、加熱部４を、ヒートポンプ式加熱部３３と補助加熱部３５とから構成することも可能であり、加熱部４の構成については、適宜変更が可能である。
【００８５】
（８）上記実施形態では、エンジンヒートポンプ式冷暖房装置Ｂが、室内機７１を設けて、加熱運転に加えて、暖房運転や冷房運転の空調運転を行うようにしているが、室内機７１を設けずに、加熱運転のみを行うようにして実施することも可能である。
【００８６】
（９）上記実施形態では、本発明にかかる貯湯式の給湯熱源装置をエンジンヒートポンプ式冷暖房給湯システムに適応した例を示したが、貯湯タンクやヒートポンプ装置を備えたシステムであれば適応することが可能であり、適応するシステムについては適宜変更が可能である。
【図面の簡単な説明】
【図１】温度上昇急速運転における貯湯ユニットの概略構成図
【図２】エンジンヒートポンプ式冷暖房装置の概略構成図
【図３】エンジンヒートポンプ式冷暖房装置システムの制御ブロック図
【図４】温度上昇緩慢運転における貯湯ユニットの概略構成図
【図５】貯湯ユニット制御部の制御動作を示すフローチャート
【符号の説明】
１              貯湯タンク
３３            貯湯用熱交換器
８１            空気熱交換器
Ｂ              ヒートポンプ装置
Ｅ，Ｆ          加熱式循環手段
Ｕ              運転制御手段
【図１】
2004205138.tif 000003
【図２】
2004205138.tif 000004
【図３】
2004205138.tif 000005
【図４】
2004205138.tif 000006
【図５】
2004205138.tif 000007